【手続補正書】
【提出日】平成17年10月5日(2005.10.5)
【手続補正１】
【補正対象書類名】特許請求の範囲
【補正対象項目名】全文
【補正方法】変更
【補正の内容】
【特許請求の範囲】
【請求項１】
ネットワークを介して接続される、情報処理装置、出力装置、コンテンツを管理するコンテンツ管理サーバ、および、ログインしているユーザに関する情報を管理するユーザ管理サーバからなるコンテンツ提供システムにおいて、
前記情報処理装置は、
前記ネットワークを介さずにコンテンツを取得する取得手段と、
ユーザが当該情報処理装置に対して行った操作を基に、前記ユーザが前記ネットワークにログインしたことを認識する認識手段と、
前記ネットワークを介して情報の送信・受信を行う送受信手段と、
所定のコンテンツの提供を要求する前記出力装置に対して、前記所定のコンテンツを提供する提供手段と
を備え、
前記認識手段によりログインしたことが認識されたユーザのユーザ識別情報と、当該情報処理装置の装置識別番号とを含むユーザ登録要求メッセージを、前記ユーザ管理サーバに送信し、前記ユーザがログインしている、前記ネットワークに接続されている出力装置に関する情報を前記ユーザ管理サーバから受信し、
前記ユーザ管理サーバから受信した情報を基に、前記ユーザがログインしている出力装置を識別し、
前記取得手段により所定のコンテンツを取得した場合に、コンテンツ登録要求メッセージを前記コンテンツ管理サーバに送信し、所定のコンテンツを取得したことを表すメッセージであって、前記ユーザがログインしている出力装置が前記所定のコンテンツを取得するために必要な、前記所定のコンテンツの位置を表す位置情報を含むメッセージを、前記ユーザがログインしている出力装置に送信する
ことを特徴とし、
前記出力装置は、
前記情報処理装置から送信されてきたメッセージを受信することに応じて、出力可能なコンテンツがあることを提示する提示手段と、
前記提示手段による提示に対して、前記所定のコンテンツの出力が指示された場合、前記所定のコンテンツを提供することを前記情報処理装置に対して要求し、前記情報処理装置から提供される前記所定のコンテンツをユーザに視聴させる出力手段と
を備えることを特徴とするコンテンツ提供システム。
【請求項２】
コンテンツを管理するコンテンツ管理サーバと、ログインしているユーザに関する情報を管理するユーザ管理サーバと、コンテンツを出力する出力装置と、ネットワークを介して接続される情報処理装置において、
前記ネットワークを介さずにコンテンツを取得する取得手段と、
ユーザが当該情報処理装置に対して行った操作を基に、前記ユーザが前記ネットワークにログインしたことを認識する認識手段と、
前記ネットワークを介して情報の送信・受信を行う送受信手段と、
所定のコンテンツの提供を要求する前記出力装置に対して、前記所定のコンテンツを提供する提供手段と
を備え、
前記認識手段によりログインしたことが認識されたユーザのユーザ識別情報と、当該情報処理装置の装置識別番号とを含むユーザ登録要求メッセージを、前記ユーザ管理サーバに送信し、前記ユーザがログインしている、前記ネットワークに接続されている出力装置に関する情報を前記ユーザ管理サーバから受信し、
前記ユーザ管理サーバから受信した情報を基に、前記ユーザがログインしている出力装置を識別し、
前記取得手段により所定のコンテンツを取得した場合に、コンテンツ登録要求メッセージを前記コンテンツ管理サーバに送信し、所定のコンテンツを取得したことを表すメッセージであって、前記ユーザがログインしている出力装置が前記所定のコンテンツを取得するために必要な、前記所定のコンテンツの位置を表す位置情報を含むメッセージを、前記ユーザがログインしている出力装置に送信する
ことを特徴とする情報処理装置。
【請求項３】
前記取得手段は、着脱可能な記録媒体が装着されることに応じて、前記コンテンツを取得する
ことを特徴とする請求項２に記載の情報処理装置。
【請求項４】
前記認識手段は、非接触ICカードに記憶されているユーザの識別情報を読み取ることにより、前記ユーザがログインしたことを認識する
ことを特徴とする請求項２に記載の情報処理装置。
【請求項５】
前記認識手段は、ユーザの指紋を認証することにより、前記ユーザがログインしたことを認識する
ことを特徴とする請求項２に記載に情報処理装置。
【請求項６】
コンテンツを管理するコンテンツ管理サーバと、ログインしているユーザに関する情報を管理するユーザ管理サーバと、コンテンツを出力する出力装置と、ネットワークを介して接続される情報処理装置の情報処理方法において、
前記ネットワークを介さずにコンテンツを取得する取得ステップと、
ユーザが当該情報処理装置に対して行った操作を基に、前記ユーザが前記ネットワークにログインしたことを認識する認識ステップと、
前記ネットワークを介して情報の送信・受信を行う送受信ステップと、
所定のコンテンツの提供を要求する前記出力装置に対して、前記所定のコンテンツを提供する提供ステップと
を含み、
前記認識ステップの処理によりログインしたことが認識されたユーザのユーザ識別情報と、当該情報処理装置の装置識別番号とを含むユーザ登録要求メッセージを、前記ユーザ管理サーバに送信し、前記ユーザがログインしている、前記ネットワークに接続されている出力装置に関する情報を前記ユーザ管理サーバから受信し、
前記ユーザ管理サーバから受信した情報を基に、前記ユーザがログインしている出力装置を識別し、
前記取得ステップの処理により所定のコンテンツを取得した場合に、コンテンツ登録要求メッセージを前記コンテンツ管理サーバに送信し、所定のコンテンツを取得したことを表すメッセージであって、前記ユーザがログインしている出力装置が前記所定のコンテンツを取得するために必要な、前記所定のコンテンツの位置を表す位置情報を含むメッセージを、前記ユーザがログインしている出力装置に送信する
ことを特徴とする情報処理方法。
【請求項７】
コンテンツを管理するコンテンツ管理サーバと、ログインしているユーザに関する情報を管理するユーザ管理サーバと、コンテンツを出力する出力装置との間でネットワークを介して行われる情報処理を、コンピュータに行わせるプログラムにおいて、
前記ネットワークを介さずにコンテンツを取得する取得ステップと、
ユーザが行った操作を基に、前記ユーザが前記ネットワークにログインしたことを認識する認識ステップと、
前記ネットワークを介して情報の送信・受信を行う送受信ステップと、
所定のコンテンツの提供を要求する前記出力装置に対して、前記所定のコンテンツを提供する提供ステップと
を含み、
前記認識ステップの処理によりログインしたことが認識されたユーザのユーザ識別情報と、装置識別番号とを含むユーザ登録要求メッセージを、前記ユーザ管理サーバに送信し、前記ユーザがログインしている、前記ネットワークに接続されている出力装置に関する情報を前記ユーザ管理サーバから受信し、
前記ユーザ管理サーバから受信した情報を基に、前記ユーザがログインしている出力装置を識別し、
前記取得ステップの処理により所定のコンテンツを取得した場合に、コンテンツ登録要求メッセージを前記コンテンツ管理サーバに送信し、所定のコンテンツを取得したことを表すメッセージであって、前記ユーザがログインしている出力装置が前記所定のコンテンツを取得するために必要な、前記所定のコンテンツの位置を表す位置情報を含むメッセージを、前記ユーザがログインしている出力装置に送信する
ことを特徴とするプログラム。
【請求項８】
コンテンツを管理するコンテンツ管理サーバと、ログインしているユーザに関する情報を管理するユーザ管理サーバと、コンテンツを取得する情報処理装置と、ネットワークを介して接続される出力装置において、
ユーザが当該出力装置に対して行った操作を基に、前記ユーザが前記ネットワークにログインしたことを認識する認識手段と、
前記ネットワークを介して情報の送信・受信を行う送受信手段と
を備え、
前記認識手段によりログインしたことが認識されたユーザのユーザ識別情報と、当該出力装置の装置識別番号とを含むユーザ登録要求メッセージを、前記ユーザ管理サーバに送信し、
前記ユーザがログインしているとして前記ユーザ管理サーバから受信した情報を基に前記情報処理装置により識別された当該出力装置を送信先として前記情報処理装置から送信されてきた、所定のコンテンツが前記情報処理装置において取得されたことを表すメッセージであって、前記所定のコンテンツを取得するために必要な、前記所定のコンテンツの位置を表す位置情報を含むメッセージを受信することに応じて、出力可能なコンテンツがあることを提示し、
出力可能なコンテンツがあることの提示に対して、前記所定のコンテンツの出力が指示された場合、前記所定のコンテンツを提供することを前記情報処理装置に対して要求し、前記情報処理装置から提供される前記所定のコンテンツを出力する
ことを特徴とする出力装置。
【請求項９】
前記位置情報を記憶する記憶手段をさらに備える
ことを特徴とする請求項８に記載の出力装置。
【請求項１０】
複数の前記情報処理装置から送信される前記メッセージに基づいて、前記記憶手段により複数の前記位置情報が記憶されている場合、
複数の前記位置情報のうち、ユーザにより選択された前記位置情報に基づいて、前記所定のコンテンツを提供することを前記情報処理装置に対して要求し、前記情報処理装置から提供される前記所定のコンテンツを出力する
ことを特徴とする請求項９に記載の出力装置。
【請求項１１】
前記認識手段は、非接触ICカードに記憶されているユーザの識別情報を読み取ることにより、前記ユーザがログインしたことを認識する
ことを特徴とする請求項８に記載の出力装置。
【請求項１２】
コンテンツを管理するコンテンツ管理サーバと、ログインしているユーザに関する情報を管理するユーザ管理サーバと、コンテンツを取得する情報処理装置と、ネットワークを介して接続される出力装置の出力方法において、
ユーザが当該出力装置に対して行った操作を基に、前記ユーザが前記ネットワークにログインしたことを認識する認識ステップと、
前記ネットワークを介して情報の送信・受信を行う送受信ステップと
を含み、
前記認識ステップの処理によりログインしたことが認識されたユーザのユーザ識別情報と、当該出力装置の装置識別番号とを含むユーザ登録要求メッセージを、前記ユーザ管理サーバに送信し、
前記ユーザがログインしているとして前記ユーザ管理サーバから受信した情報を基に前記情報処理装置により識別された当該出力装置を送信先として前記情報処理装置から送信されてきた、所定のコンテンツが前記情報処理装置において取得されたことを表すメッセージであって、前記所定のコンテンツを取得するために必要な、前記所定のコンテンツの位置を表す位置情報を含むメッセージを受信することに応じて、出力可能なコンテンツがあることを提示し、
出力可能なコンテンツがあることの提示に対して、前記所定のコンテンツの出力が指示された場合、前記所定のコンテンツを提供することを前記情報処理装置に対して要求し、前記情報処理装置から提供される前記所定のコンテンツを出力する
ことを特徴とする出力方法。
【請求項１３】
コンテンツを管理するコンテンツ管理サーバと、ログインしているユーザに関する情報を管理するユーザ管理サーバと、コンテンツを取得する情報処理装置との間でネットワークを介して行われる処理を、コンピュータに行わせるプログラムにおいて、
ユーザが当該出力装置に対して行った操作を基に、前記ユーザが前記ネットワークにログインしたことを認識する認識ステップと、
前記ネットワークを介して情報の送信・受信を行う送受信ステップと
を含み、
前記認識ステップの処理によりログインしたことが認識されたユーザのユーザ識別情報と、当該出力装置の装置識別番号とを含むユーザ登録要求メッセージを、前記ユーザ管理サーバに送信し、
前記ユーザがログインしているとして前記ユーザ管理サーバから受信した情報を基に前記情報処理装置により識別された当該出力装置を送信先として前記情報処理装置から送信されてきた、所定のコンテンツが前記情報処理装置において取得されたことを表すメッセージであって、前記所定のコンテンツを取得するために必要な、前記所定のコンテンツの位置を表す位置情報を含むメッセージを受信することに応じて、出力可能なコンテンツがあることを提示する提示し、
出力可能なコンテンツがあることの提示に対して、前記所定のコンテンツの出力が指示された場合、前記所定のコンテンツを提供することを前記情報処理装置に対して要求し、前記情報処理装置から提供される前記所定のコンテンツを出力する
ことを特徴とするプログラム。
【請求項１４】
前記認識手段は、ユーザの指紋を認証することにより、前記ユーザがログインしたことを認識する
ことを特徴とする請求項８に記載に出力装置。
【手続補正２】
【補正対象書類名】明細書
【補正対象項目名】００１１
【補正方法】変更
【補正の内容】
【００１１】
本発明のコンテンツ提供システムの情報処理装置は、ネットワークを介さずにコンテンツを取得する取得手段と、ユーザが当該情報処理装置に対して行った操作を基に、ユーザがネットワークにログインしたことを認識する認識手段と、ネットワークを介して情報の送信・受信を行う送受信手段と、所定のコンテンツの提供を要求する出力装置に対して、所定のコンテンツを提供する提供手段とを備え、認識手段によりログインしたことが認識されたユーザのユーザ識別情報と、当該情報処理装置の装置識別番号とを含むユーザ登録要求メッセージを、ユーザ管理サーバに送信し、ユーザがログインしている、ネットワークに接続されている出力装置に関する情報をユーザ管理サーバから受信し、ユーザ管理サーバから受信した情報を基に、ユーザがログインしている出力装置を識別し、取得手段により所定のコンテンツを取得した場合に、コンテンツ登録要求メッセージをコンテンツ管理サーバに送信し、所定のコンテンツを取得したことを表すメッセージであって、ユーザがログインしている出力装置が所定のコンテンツを取得するために必要な、所定のコンテンツの位置を表す位置情報を含むメッセージを、ユーザがログインしている出力装置に送信することを特徴とする。また、出力装置は、情報処理装置から送信されてきたメッセージを受信することに応じて、出力可能なコンテンツがあることを提示する提示手段と、提示手段による提示に対して、所定のコンテンツの出力が指示された場合、所定のコンテンツを提供することを情報処理装置に対して要求し、情報処理装置から提供される所定のコンテンツをユーザに視聴させる出力手段とを備えることを特徴とする。
【手続補正３】
【補正対象書類名】明細書
【補正対象項目名】００１２
【補正方法】変更
【補正の内容】
【００１２】
本発明の情報処理装置は、ネットワークを介さずにコンテンツを取得する取得手段と、ユーザが当該情報処理装置に対して行った操作を基に、ユーザがネットワークにログインしたことを認識する認識手段と、ネットワークを介して情報の送信・受信を行う送受信手段と、所定のコンテンツの提供を要求する出力装置に対して、所定のコンテンツを提供する提供手段とを備え、認識手段によりログインしたことが認識されたユーザのユーザ識別情報と、当該情報処理装置の装置識別番号とを含むユーザ登録要求メッセージを、ユーザ管理サーバに送信し、ユーザがログインしている、ネットワークに接続されている出力装置に関する情報をユーザ管理サーバから受信し、ユーザ管理サーバから受信した情報を基に、ユーザがログインしている出力装置を識別し、取得手段により所定のコンテンツを取得した場合に、コンテンツ登録要求メッセージをコンテンツ管理サーバに送信し、所定のコンテンツを取得したことを表すメッセージであって、ユーザがログインしている出力装置が所定のコンテンツを取得するために必要な、所定のコンテンツの位置を表す位置情報を含むメッセージを、ユーザがログインしている出力装置に送信することを特徴とする。
【手続補正４】
【補正対象書類名】明細書
【補正対象項目名】００１３
【補正方法】変更
【補正の内容】
【００１３】
取得手段は、着脱可能な記録媒体が装着されることに応じて、コンテンツを取得するようにすることができる。
【手続補正５】
【補正対象書類名】明細書
【補正対象項目名】００１４
【補正方法】変更
【補正の内容】
【００１４】
認識手段は、非接触ICカードに記憶されているユーザの識別情報を読み取ることにより、ユーザがログインしたことを認識するようにすることができる。
【手続補正６】
【補正対象書類名】明細書
【補正対象項目名】００１５
【補正方法】変更
【補正の内容】
【００１５】
認識手段は、ユーザの指紋を認証することにより、ユーザがログインしたことを認識するようにすることができる。
【手続補正７】
【補正対象書類名】明細書
【補正対象項目名】００１６
【補正方法】変更
【補正の内容】
【００１６】
本発明の情報処理方法は、ネットワークを介さずにコンテンツを取得する取得ステップと、ユーザが当該情報処理装置に対して行った操作を基に、ユーザがネットワークにログインしたことを認識する認識ステップと、ネットワークを介して情報の送信・受信を行う送受信ステップと、所定のコンテンツの提供を要求する出力装置に対して、所定のコンテンツを提供する提供ステップとを含み、認識ステップの処理によりログインしたことが認識されたユーザのユーザ識別情報と、当該情報処理装置の装置識別番号とを含むユーザ登録要求メッセージを、ユーザ管理サーバに送信し、ユーザがログインしている、ネットワークに接続されている出力装置に関する情報をユーザ管理サーバから受信し、ユーザ管理サーバから受信した情報を基に、ユーザがログインしている出力装置を識別し、取得ステップの処理により所定のコンテンツを取得した場合に、コンテンツ登録要求メッセージをコンテンツ管理サーバに送信し、所定のコンテンツを取得したことを表すメッセージであって、ユーザがログインしている出力装置が所定のコンテンツを取得するために必要な、所定のコンテンツの位置を表す位置情報を含むメッセージを、ユーザがログインしている出力装置に送信することを特徴とする。
【手続補正８】
【補正対象書類名】明細書
【補正対象項目名】００１７
【補正方法】変更
【補正の内容】
【００１７】
本発明の第１のプログラムは、ネットワークを介さずにコンテンツを取得する取得ステップと、ユーザが行った操作を基に、ユーザがネットワークにログインしたことを認識する認識ステップと、ネットワークを介して情報の送信・受信を行う送受信ステップと、所定のコンテンツの提供を要求する出力装置に対して、所定のコンテンツを提供する提供ステップとを含み、認識ステップの処理によりログインしたことが認識されたユーザのユーザ識別情報と、装置識別番号とを含むユーザ登録要求メッセージを、ユーザ管理サーバに送信し、ユーザがログインしている、ネットワークに接続されている出力装置に関する情報をユーザ管理サーバから受信し、ユーザ管理サーバから受信した情報を基に、ユーザがログインしている出力装置を識別し、取得ステップの処理により所定のコンテンツを取得した場合に、コンテンツ登録要求メッセージをコンテンツ管理サーバに送信し、所定のコンテンツを取得したことを表すメッセージであって、ユーザがログインしている出力装置が所定のコンテンツを取得するために必要な、所定のコンテンツの位置を表す位置情報を含むメッセージを、ユーザがログインしている出力装置に送信することを特徴とする。
【手続補正９】
【補正対象書類名】明細書
【補正対象項目名】００１８
【補正方法】変更
【補正の内容】
【００１８】
本発明の出力装置は、ユーザが当該出力装置に対して行った操作を基に、ユーザがネットワークにログインしたことを認識する認識手段と、ネットワークを介して情報の送信・受信を行う送受信手段とを備え、認識手段によりログインしたことが認識されたユーザのユーザ識別情報と、当該出力装置の装置識別番号とを含むユーザ登録要求メッセージを、ユーザ管理サーバに送信し、ユーザがログインしているとしてユーザ管理サーバから受信した情報を基に情報処理装置により識別された当該出力装置を送信先として情報処理装置から送信されてきた、所定のコンテンツが情報処理装置において取得されたことを表すメッセージであって、所定のコンテンツを取得するために必要な、所定のコンテンツの位置を表す位置情報を含むメッセージを受信することに応じて、出力可能なコンテンツがあることを提示し、出力可能なコンテンツがあることの提示に対して、所定のコンテンツの出力が指示された場合、所定のコンテンツを提供することを情報処理装置に対して要求し、情報処理装置から提供される所定のコンテンツを出力することを特徴とする。
【手続補正１０】
【補正対象書類名】明細書
【補正対象項目名】００２０
【補正方法】変更
【補正の内容】
【００２０】
複数の情報処理装置から送信されるメッセージに基づいて、記憶手段により複数の位置情報が記憶されている場合、複数の位置情報のうち、ユーザにより選択された位置情報に基づいて、所定のコンテンツを提供することを情報処理装置に対して要求し、情報処理装置から提供される所定のコンテンツを出力するようにすることができる。
【手続補正１１】
【補正対象書類名】明細書
【補正対象項目名】００２１
【補正方法】変更
【補正の内容】
【００２１】
認識手段は、非接触ICカードに記憶されているユーザの識別情報を読み取ることにより、ユーザがログインしたことを認識するようにすることができる。
【手続補正１２】
【補正対象書類名】明細書
【補正対象項目名】００２２
【補正方法】変更
【補正の内容】
【００２２】
本発明の出力方法は、ユーザが当該出力装置に対して行った操作を基に、ユーザがネットワークにログインしたことを認識する認識ステップと、ネットワークを介して情報の送信・受信を行う送受信ステップとを含み、認識ステップの処理によりログインしたことが認識されたユーザのユーザ識別情報と、当該出力装置の装置識別番号とを含むユーザ登録要求メッセージを、ユーザ管理サーバに送信し、ユーザがログインしているとしてユーザ管理サーバから受信した情報を基に情報処理装置により識別された当該出力装置を送信先として情報処理装置から送信されてきた、所定のコンテンツが情報処理装置において取得されたことを表すメッセージであって、所定のコンテンツを取得するために必要な、所定のコンテンツの位置を表す位置情報を含むメッセージを受信することに応じて、出力可能なコンテンツがあることを提示する提示し、出力可能なコンテンツがあることの提示に対して、所定のコンテンツの出力が指示された場合、所定のコンテンツを提供することを情報処理装置に対して要求し、情報処理装置から提供される所定のコンテンツを出力することを特徴とする。
【手続補正１３】
【補正対象書類名】明細書
【補正対象項目名】００２３
【補正方法】変更
【補正の内容】
【００２３】
本発明の第２のプログラムは、ユーザが当該出力装置に対して行った操作を基に、ユーザがネットワークにログインしたことを認識する認識ステップと、ネットワークを介して情報の送信・受信を行う送受信ステップとを含み、認識ステップの処理によりログインしたことが認識されたユーザのユーザ識別情報と、当該出力装置の装置識別番号とを含むユーザ登録要求メッセージを、ユーザ管理サーバに送信し、ユーザがログインしているとしてユーザ管理サーバから受信した情報を基に情報処理装置により識別された当該出力装置を送信先として情報処理装置から送信されてきた、所定のコンテンツが情報処理装置において取得されたことを表すメッセージであって、所定のコンテンツを取得するために必要な、所定のコンテンツの位置を表す位置情報を含むメッセージを受信することに応じて、出力可能なコンテンツがあることを提示し、出力可能なコンテンツがあることの提示に対して、所定のコンテンツの出力が指示された場合、所定のコンテンツを提供することを情報処理装置に対して要求し、情報処理装置から提供される所定のコンテンツを出力することを特徴とする。
認識手段は、ユーザの指紋を認証することにより、ユーザがログインしたことを認識するようにすることができる。
【手続補正１４】
【補正対象書類名】明細書
【補正対象項目名】００２４
【補正方法】変更
【補正の内容】
【００２４】
本発明のコンテンツ提供システムにおいては、ネットワークを介さずにコンテンツが取得され、ユーザが当該情報処理装置に対して行った操作を基に、ユーザがネットワークにログインしたことが認識され、ネットワークを介して情報の送信・受信が行われ、所定のコンテンツの提供を要求する出力装置に対して、所定のコンテンツが提供される。また、情報処理装置から送信されてきたメッセージを受信することに応じて、出力可能なコンテンツがあることが提示され、提示に対して、所定のコンテンツの出力が指示された場合、所定のコンテンツを提供することが情報処理装置に対して要求され、情報処理装置から提供される所定のコンテンツが出力される。
【手続補正１５】
【補正対象書類名】明細書
【補正対象項目名】００２５
【補正方法】変更
【補正の内容】
【００２５】
本発明の情報処理装置および方法、並びに第１のプログラムにおいては、ネットワークを介さずにコンテンツが取得され、ユーザが当該情報処理装置に対して行った操作を基に、ユーザがネットワークにログインしたことが認識され、ネットワークを介して情報の送信・受信が行われ、所定のコンテンツの提供を要求する出力装置に対して、所定のコンテンツが提供される。
【手続補正１６】
【補正対象書類名】明細書
【補正対象項目名】００２６
【補正方法】変更
【補正の内容】
【００２６】
本発明の出力装置および方法、並びに第２のプログラムにおいては、ユーザが当該出力装置に対して行った操作を基に、ユーザがネットワークにログインしたことが認識され、ネットワークを介して情報の送信・受信が行われ、ログインしたことが認識されたユーザのユーザ識別情報と、当該出力装置の装置識別番号とを含むユーザ登録要求メッセージが、ユーザ管理サーバに送信され、ユーザがログインしているとしてユーザ管理サーバから受信した情報を基に情報処理装置により識別された当該出力装置を送信先として情報処理装置から送信されてきた、所定のコンテンツが情報処理装置において取得されたことを表すメッセージであって、所定のコンテンツを取得するために必要な、所定のコンテンツの位置を表す位置情報を含むメッセージを受信することに応じて、出力可能なコンテンツがあることが提示され、提示に対して、所定のコンテンツの出力が指示された場合、所定のコンテンツを提供することが情報処理装置に対して要求され、情報処理装置から提供される所定のコンテンツが出力される。
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】